(57)【要約】【課題】浴槽内に居ながらブックスタンドに本を載置してリラックスした状態で本を読むことができ、しかもこのようにブックスタンドを設けたにも関わらず平面視における浴室スペースが狭くならず、尚且つ、本を読まない場合において、ブックスタンドが邪魔にならず、浴室を使用できるスペースが狭くならない浴室用ブックスタンドを提供する。【解決手段】天井３からブックスタンド１を昇降自在に吊り下げる。このブックスタンド１を昇降する昇降装置２を設ける。【選択図】        図１
2004254874.tif 000002
【特許請求の範囲】
【請求項１】
天井からブックスタンドを昇降自在に吊り下げ、このブックスタンドを昇降する昇降装置を設けてなることを特徴とする浴室用ブックスタンド。
【請求項２】
上記昇降装置により降下させた状態のブックスタンドを照らす点消灯切替え自在の照明器具を設け、ブックスタンドを降下させた際に照明器具を自動的に点灯するように制御する制御手段を設けてなることを特徴とする請求項１記載の浴室用ブックスタンド。
【請求項３】
上記昇降装置によりブックスタンドを降下させた状態において本が載置した状態であるか否かを検知する本検知センサを設け、ブックスタンドを降下させた状態において本検知センサ−にて本が載置してあることを検知した場合、昇降装置によるブックスタンドの上昇動作を実行不能にする制御手段を備えてなることを特徴とする請求項１又は２記載の浴室用ブックスタンド。
【発明の詳細な説明】
【０００１】
【発明の属する技術分野】
本発明は、浴室用ブックスタンドに関するものである。
【０００２】
【従来の技術】
従来から、本を載置するためのブックスタンドを浴室内に設けた浴室用ブックスタンドが知られている。
【０００３】
この浴室用ブックスタンドとしては、例えばブックスタンドを浴槽近傍の高さの浴室の側壁内の配設したものが知られており、これにより使用者は浴槽内に居ながら本を手で支えることなくリラックスした状態で本を読むことが可能となる（例えば特許文献１）。
【０００４】
【特許文献１】
実開平３−８９８４５号公報
【０００５】
【発明が解決しようとする課題】
しかしながら上記従来の浴室用ブックスタンドにあっては、壁内にブックスタンドを設けているため壁が厚くなってしまい平面視における浴室のスペースが狭くなってしまうという問題がある。また壁から突出させてブックスタンドを配設することも考えられるが、この場合、ブックスタンドは本を読める位置である浴槽近傍の高さに配置しなければならず、本を読まない場合にはブックスタンドが邪魔になってしまい、浴室を使用できるスペースが制限されてしまう。
【０００６】
本発明は上記の点に鑑みてなされたものであり、その目的とするところは、浴槽内に居ながらブックスタンドに本を載置してリラックスした状態で本を読むことができ、しかもこのようにブックスタンドを設けたにも関わらず平面視における浴室スペースが狭くならず、尚且つ、本を読まない場合において、ブックスタンドが邪魔にならず、浴室を使用できるスペースが狭くならない浴室用ブックスタンドを提供することを課題とするものである。
【０００７】
【課題を解決するための手段】
上記課題を解決するために本発明に係る浴室用ブックスタンドは、天井３からブックスタンド１を昇降自在に吊り下げ、このブックスタンド１を昇降する昇降装置２を設けてなることを特徴とすることを特徴とするものである。
【０００８】
上記のように天井３からブックスタンド１を昇降自在に吊り下げ、このブックスタンド１を昇降する昇降装置２を設けることで、ブックスタンド１を降下させてブックスタンド１に本５を載置することができるようになり、しかもこのように本５を載置するためのブックスタンド１を設けたにも関わらず、本を読まない場合においては、ブックスタンド１を上昇させて該ブックスタンド１を天井３近傍の邪魔にならない位置に配置することができる。
【０００９】
また請求項２記載の浴室用ブックスタンドは請求項１記載の浴室用ブックスタンドにおいて、上記昇降装置２により降下させた状態のブックスタンド１を照らす点消灯切替え自在の照明器具４を設け、ブックスタンド１を降下させた際に照明器具４を自動的に点灯するように制御する制御手段を設けてなることを特徴とするものである。
【００１０】
上記のように上記昇降装置２により降下させた状態のブックスタンド１を照らす点消灯切替え自在の照明器具４を設け、ブックスタンド１を降下させた際に照明器具４を自動的に点灯するように制御する制御手段を設けることで、ブックスタンド１を降下させた際に照明器具４を自動的に点灯させてブックスタンド１に載置された本５を照らすことができる。
【００１１】
また請求項３記載の浴室用ブックスタンドは請求項１又は請求項２記載の浴室用ブックスタンドにおいて、上記昇降装置２によりブックスタンド１を降下させた状態において本５が載置した状態であるか否かを検知する本検知センサ６を設け、ブックスタンド１を降下させた状態において本検知センサ６にて本が載置してあることを検知した場合、昇降装置２によるブックスタンド１の上昇動作を実行不能にする制御手段を備えてなることを特徴とするものである。
【００１２】
上記のように上記昇降装置２によりブックスタンド１を降下させた状態において本５が載置した状態であるか否かを検知する本検知センサ６を設け、ブックスタンドを降下させた状態において本検知センサ６にて本が載置してあることを検知した場合、昇降装置２によるブックスタンド１の上昇動作を実行不能にする制御手段を備えることで、誤った操作により本５が載置されたままブックスタンド１が上昇することがなくなる。
【００１３】
【発明の実施の形態】
以下、本発明を添付図面に示す実施形態に基づいて説明する。図１は本実施形態における浴室及び浴室用ブックスタンドを示した説明図である。浴室７は浴槽８を配設した床９と、床９の周囲から立設した四方の壁１０と、四方の壁１０によって形成された上方開口部を覆う天井３とからなる。
【００１４】
浴室用ブックスタンドは、天井３から昇降自在に吊り下げられたブックスタンド１と、操作部１２を操作することで前記ブックスタンド１を自動的に昇降する昇降装置２と、降下させた状態のブックスタンド１を照らす点消灯切替え自在の照明器具４と、ブックスタンド１を降下させた状態であるか否かを検知する降下状態判定手段と、本５が載置した状態であるか否かを検知する本検知センサ６と、上記昇降装置２、照明器具４、降下状態検知手段、本検知センサ６の夫々にリード線２７を介して接続される制御部１３とからなり、制御部１３はブックスタンド１を降下させた際に照明器具４を自動的に点灯するように制御する制御手段と、ブックスタンド１を降下させた状態において本検知センサ６にて本５が載置してあることを検知した場合、昇降装置２によるブックスタンド１の上昇動作を実行不能にする制御手段とを備えている。以下この浴室用ブックスタンドについて詳述する。
【００１５】
ブックスタンド１は下方程浴槽８の背凭れ壁側に位置するように傾斜する凭れ板１４と、凭れ板１４の下端部からＬ字状に突出する載置板１５とからなり、本が載置できるようになっている。なお、ブックスタンド１としては上記に限定されるものではなく、本５を載置するためのものであれば良いものとする。
【００１６】
上記ブックスタンド１は浴槽８中央の上方に位置する天井３下面（表面）に配設された伸縮部材１６により昇降自在となっている。伸縮部材１６は図２に示すように外径の異なる複数の円筒体１７を径方向に複数並べて配置することで多段に伸縮するものであって、各円筒体１７の上下方向に貫通する貫通孔１８には内側に隣接する円筒体１７を上下方向摺動自在に配設している。すなわち、伸縮部材１６は、径方向最外側に位置し且つ天井３下面に配設される基円筒体１７ａと、基円筒体１７ａの内側に配設された複数（本実施形態では２つ）の中円筒体１７ｂと、径方向最内側に位置し且つその下開口部を覆うように下端部にブックスタンド１の上端部（凭れ板１４の上端部）を一体に接続した先円筒体１７ｃとからなる。なお、中円筒体１７ｂは設けていなくても良く、また一つでも良いものとする。
【００１７】
各円筒体１７の貫通孔１８の周側面下端部には夫々Ｏリング用溝１９が周設されており、各Ｏリング用溝１９にはＯリング２０が配設され、これにより各円筒体１７の貫通孔１８の周側面とその貫通孔１８に配設された内側に隣接する円筒体１７の外周側面との間をシールしている。また各円筒体１７の貫通孔１８の周側面の下端部におけるＯリング用溝１９よりも上方には径方向内側に突出するストッパ２１が周設されており、さらに基円筒体１７ａを除く円筒体１７の外周側面の上端部には径方向外側に突出するフランジ２２が周設されている。すなわち、各円筒体１７のストッパ２１及び内側に隣接した円筒体１７のフランジ２２により内側に隣接する円筒体１７の抜け止めを行っている。
【００１８】
基円筒体１７ａは、貫通孔１８を有する基円筒体本体２３と、基円筒体本体２３の上端部から径方向外側に突出し天井下面に取り付けられるフランジ２４とからなる。フランジ２４及び基円筒体本体２３の上面によって構成される基円筒体１７ａの上面にはＯリング用溝２５が周設されており、該Ｏリング用溝２５にはＯリングが配設され、これにより基円筒体１７ａ上面と天井３との間をシールしており、しかして伸縮部材１６の内部は浴室７から防水される。
【００１９】
天井３の基円筒体１７ａの貫通孔１８に対向する箇所には天井３裏に連通する連通孔２８が形成されており、この連通孔２８及び前記各円筒体１７の貫通孔１８とで、伸縮部材１６内部を介して天井３裏と先円筒体１７ｃの下開口部とを連通させる通し孔２９を形成している。
【００２０】
昇降装置２は、凭れ板１４の上端部の先円筒体１７ｃの下開口部に対向する箇所と後述するドラム３０とを通し孔２９を介して接続するワイヤ３１と、ワイヤ３１の巻き取り及び繰り出しを行うドラム３０と、ドラム３０を巻き取り方向及び繰り出し方向に回転する駆動部としてのモータ３２とからなり、ドラム３０及びモータ３２は天井３裏の連通孔２８近傍に配設している。この昇降装置２は、ブックスタンド１を浴槽８近傍且つ浴槽８よりもやや上方に位置する最下点から天井３近傍の最上点までの範囲で昇降させるものである。またこの場合、ブックスタンド１の上昇させた場合、ブックスタンド１に伴って先円筒体１７ｃから順に上昇して各円筒体１７はその外側に隣接する円筒体１７に収納され、これにより伸縮部材１６は縮み、最上点においては図３に示すように基円筒体１７ａ内に他の円筒体１７の全てが収まるものであって、さらにはこの図３に示す状態からブックスタンド１を降下させると、自重により中円筒体１７ｂの最外側に位置する円筒体１７から順に降下し、これにより伸縮部材１６は伸びるものである。
【００２１】
降下状態判定手段としては天井３裏の連通孔２８近傍に設けたマーカ検知センサ３３を用い、該マーカ検知センサ３３は制御部１３に接続されている。すなわちマーカ検知センサ３３によりワイヤ３１に印されたマーカ３４を検知した場合にブックスタンド１を降下させた状態であると判定し、それ以外をブックスタンド１を降下させた状態でないと判定するのである。  照明器具４は浴槽８の背凭れ壁側に位置する壁１０の天井３近傍に設けてあり、該照明器具４は壁１０裏及び天井３裏を通るリード線２７により制御部１３に接続されている。また本検知センサ６はブックスタンド１に設けてあり、通し孔２９を通るリード線を介して制御部１３に接続されている。  そして浴槽８の側方の壁１０における浴槽よりも上方且つ浴槽８近傍の高さの位置には操作部１２を設けてあり、該操作部１２を使用者が操作することで制御部１３によりモータ３２は以下のように制御される。
【００２２】
図３に示すブックスタンド１を上昇させた状態において浴室用ブックスタンドを使用する場合は操作部１２を操作してブックスタンド１を降下させた状態にする。すなわち操作部１２を操作することで、制御部１３はモータ３２を駆動し、これによりドラム３０を回転してワイヤ３１を繰り出し、前述したようにブックスタンド１を降下させると共に伸縮部材１６を伸ばす。ブックスタンド１の降下が進み、ブックスタンド１が降下状態判定手段により降下させた状態であると判定すると、制御部１３はモータ３２の回転を停止すると共に、照明器具４を自動的に点灯してブックスタンド１を照らし、しかしてブックスタンド１は図１に示すように平面視における浴槽１の略中央のやや上方位置に降下させた使用時の状態となり、使用者はブックスタンド１に本５を載置することが可能となる。なお、このブックスタンド１を降下させた状態は、ブックスタンド１が前記した最下点の位置にあっても良いし、また最下点よりもやや上方であっても良いものとする。
【００２３】
このようにブックスタンド１を降下させた状態で使用者はブックスタンド１に本を載置して、本５を濡らすことなくブックスタンド１に載置することができ、また浴槽８内に居ながら照明器具４にて本５を照らした状態で読むことが可能となる。
【００２４】
そして使用者はブックスタンド１に載置した本５をブックスタンド１から移動させ、操作部１２を操作することで、図１に示すブックスタンド１を降下させた状態から図３に示す上昇させた状態にする。すなわち、操作部１２を操作することで、制御部１３はモータ３２を駆動し、これによりドラム３０を回転してワイヤ３１を巻き取り、前述したようにブックスタンド１を上昇させると共に伸縮部材１６を縮め、同時に照明器具４を自動的に消灯する。ブックスタンド１の上昇が進み、制御部１３がブックスタンド１が最上点まで上昇した状態になったことを判定した場合、制御部１３はモータ３２の回転を停止し、しかして図３に示すようにブックスタンド１を上昇させた非使用時の状態となる。なお、ブックスタンド１が最上点まで上昇した状態になったことを判定する判定手段としては、降下時と同様、マーカ検知センサを用いても良いし、また従来から公知の方法で停止しても良いものとする。また照明器具４の消灯のタイミングはブックスタンド１の上昇完了時点であっても良いものとする。
【００２５】
ここで上記図１に示すブックスタンド１を降下させた状態において本検知センサ６にて本が載置してあることを検知した場合は、制御部１３は昇降装置２によるブックスタンド１の上昇動作を実行不能にするよう制御されている。これにより、誤って操作部１２を操作してしまった場合に本５が載置されたままブックスタンド１が上昇することがなくなり、ブックスタンド１の上昇により本５が湯船に落ちたりすることを防止できる。
【００２６】
上記のように天井３からブックスタンド１を昇降自在に吊り下げ、このブックスタンド１を昇降する昇降装置２を設けることで、ブックスタンド１を降下させてブックスタンド１に本を載置することで、使用者は浴槽８内に居ながら本５を手で支えることなくリラックスした快適な環境で本５を読むことができ、またこのブックスタンド１は天井３に吊り下げてあるので従来のように壁１０内にブックスタンド１を設けた浴室用ブックスタンドのように壁１０が厚くなって平面視における浴室７のスペースが狭くなることがなく、しかもこのように本５を載置するためのブックスタンド１を設けたにも関わらず、本を読まない場合にはブックスタンド１を上昇させて該ブックスタンド１を天井３近傍の邪魔にならない位置に配置することができ、これにより本を読まない場合においては、ブックスタンド１が邪魔にならず浴室７を使用できるスペースが狭くならない。
【００２７】
また、制御部１２によりブックスタンド１を降下させた際に照明器具４を自動的に点灯するように制御し、且つブックスタンド１を上昇させた際に照明器具４を自動的に消灯するように制御することで、使用者は面倒な照明器具４の点消灯操作をする必要がなくなる。
【００２８】
【発明の効果】
上記のように本発明の請求項１記載の発明にあっては、天井から昇降自在にブックスタンドを吊り下げ、このブックスタンドを昇降する昇降装置を設けることで、ブックスタンドを降下させてブックスタンドに本を載置することで使用者は浴槽内に居ながら本を手で支えることなくリラックスした状態で本を読むことができ、しかもこのように本を載置するためのブックスタンドを設けたにも関わらず、本を読まない場合にはブックスタンドを上昇させて該ブックスタンドを天井近傍の邪魔にならない位置に配置することができ、これにより本を読まない場合においては、ブックスタンドが邪魔にならず浴室を使用できるスペースが狭くならない。
【００２９】
また請求項２記載の発明にあっては、上記請求項１記載の発明の効果に加えて、上記ブックスタンドを降下させた状態のブックスタンドを照らす点消灯切替え自在の照明器具を設け、ブックスタンドを降下させた際に照明器具を自動的に点灯するように制御する制御手段を設けることで、ブックスタンドを降下させた際に照明器具を自動的に点灯することができ、使用者は面倒な照明器具の点灯操作をする必要がなくなる。
【００３０】
また請求項３記載の発明にあっては、上記請求項１又は請求項２記載の発明の効果に加えて、上記ブックスタンドを降下させた状態において本が載置した状態であるか否かを検知する本検知センサを設け、ブックスタンドを降下させた状態において本検知センサ−にて本が載置してあることを検知した場合、昇降装置によるブックスタンドの上昇動作を実行不能にする制御手段を備えることで、誤った操作により本が載置されたままブックスタンドが上昇することがなくなり、ブックスタンドの上昇により本が湯船に落ちたりすることを防止できる。
【図面の簡単な説明】
【図１】本発明の実施形態の一例を示すものであり、ブックスタンドを降下させた状態を示す説明図である。
【図２】同上の要部拡大断面図である。
【図３】同上のブックスタンドを上昇させた状態を示す説明図である。
【符号の説明】
１  ブックスタンド１
２  昇降装置
３  天井
４  照明器具
５  本
【図１】
2004254874.tif 000003
【図２】
2004254874.tif 000004
【図３】
2004254874.tif 000005